(57)【要約】【課題】従来技術は、中古機械の最新市場価格、詳細な情報等を提供するものであり、購入希望者は、その情報以外の情報を欲するものであった。例えば、中古機械の引き渡し時期、中古機械を運搬するさいの運送距離、不足部品の有無、制御機器または制御ソフトのバージョン情報等、または機械のメンテナンス状況性等の情報について、購入希望者は、欲するものであった。【解決手段】本発明は、情報処理装置とサーバー装置を具備する情報処理システムである。情報処理装置は、購入希望情報の入力を受け付け、購入希望情報に基づいてサーバー装置から物品情報を取得し、出力する。サーバー装置は、販売元物品情報と、存在場所情報を格納し、購入希望情報に基づいて、物品情報を取得し、情報処理装置に送信する。かかる情報処理システムにより、物品の引き渡し時期、物品の存在場所についての情報が得られる。【選択図】  図１
2004326229.tif 000002
【特許請求の範囲】
【請求項１】
情報処理装置とサーバー装置を具備する情報処理システムであって、
前記情報処理装置は、
物品の移動先を示す情報である移動先情報と、
物品を識別する情報である物品識別情報を有する購入希望情報の入力を受け付ける入力受付部と、
前記購入希望情報に基づいて前記サーバー装置から物品に関する情報である物品情報を取得し、出力する物品情報出力部を具備し、
前記サーバー装置は、
１以上の物品の物品識別情報と引渡し可能な時期を示す情報である引渡し可能時期情報を有する販売元物品情報と、
前記物品の存在場所に関する情報である存在場所情報を格納している販売元情報格納部と、
前記情報処理装置からの購入希望情報に基づいて、前記販売元情報格納部から物品情報を取得し、前記情報処理装置に送信する物品情報検索部を具備する情報処理システム。
【請求項２】
前記購入希望情報は、
物品が必要になる時期に関する情報である必要時期情報をさらに有する請求項１記載の情報処理システム。
【請求項３】
前記購入希望情報は、前記物品識別情報で識別される物品のバージョン情報を有し、
前記販売元物品情報は、前記物品識別情報で識別される物品のバージョン情報を有する請求項１または請求項２いずれか記載の情報処理システム。
【請求項４】
前記物品情報出力部は、前記移動先情報と前記存在場所情報に基づいて算出される距離をキーとして並び替えられた物品情報を表示する請求項１から請求項３いずれか記載の情報処理システム。
【請求項５】
前記物品情報出力部は、前記販売元物品情報の一部または全部である物品情報を１以上表示し、かつ１以上の物品情報を表示する際に、前記販売元物品情報が有するバージョン情報と、前記購入希望情報が有するバージョン情報の比較結果をキーとして並び替えて前記１以上の物品情報を表示する請求項３記載の情報処理システム。
【請求項６】
請求項１から請求項４いずれか記載の情報処理システムを構成する情報処理装置。
【請求項７】
請求項１から請求項４いずれか記載の情報処理システムを構成するサーバー装置。
【請求項８】
コンピュータに、
物品が必要になる時期に関する情報である必要時期情報と、
物品の移動先を示す情報である移動先情報と、
物品を識別する情報である物品識別情報を有する購入希望情報の入力を受け付ける入力受付ステップと、
前記購入希望情報に基づいて前記サーバー装置から物品に関する情報である物品情報を取得する取得ステップと、
前記物品情報を出力する物品情報出力ステップを実行させるためのプログラム。
【請求項９】
コンピュータに、
前記移動先情報と前記存在場所情報に基づいて算出される距離をキーとして物品情報を並び替える物品情報並び替えステップと、
前記並び替えられた物品情報を表示する物品情報出力ステップをさらに実行させるための請求項７記載のプログラム。
【請求項１０】
コンピュータに、
前記販売元物品情報が有するバージョン情報と、前記購入希望情報が有するバージョン情報の比較結果をキーとして物品情報を並び替える並び替えステップと、前記並び替えられた１以上の物品情報を表示する物品情報出力ステップをさらに実行させるための請求項７記載のプログラム。
【発明の詳細な説明】
【０００１】
【発明の属する技術分野】
本発明は、主に大型設備、特に、中古製造設備（例えば、混合機、包装機）や中古の産業ロボット、工作機械等の売買を仲介する情報処理システムに関するものである。
【０００２】
【従来の技術】
従来技術として、以下のシステムがある。本システムは、通信端末から情報の提供を求められると、サーバー装置は、仲介の対象となる中古工作機械情報が記憶されたデータベースを検索し、求められている情報を通信端末に返送する、システムである。この提供情報には、従来は不透明であった最新市場価格や当該中古工作機械の詳細な状態の情報も含まれ、それによって、仲介業務の透明性が担保されるものである（特許文献１参照）。
【０００３】
【特許文献１】
特開２００２−２４５２８３号公報（第１頁、第１図等）
【０００４】
【発明が解決しようとする課題】
しかしながら、従来技術は、中古機械の最新市場価格、詳細な情報等を提供するものであり、ホームページにアクセスした購入希望者は、その情報以外の情報を欲するものであった。例えば、中古機械の引き渡し時期、中古機械を運搬するさいの運送距離、運送費用、不足部品の有無、制御機器または制御ソフトのバージョン情報等、または、機械のメンテナンス状況、オーバーホールの必要性等の情報について、購入希望者は、欲するものであった。なぜなら、中古機械を使用したい時期より、中古機械を引き渡せる時期が遅いと、生産計画に狂いが生じる。また、運送距離が長いと、運送中に中古機械が損傷する等の問題がある。また、不足部品がある場合には、不足部品の調達や、制御ソフトのバージョンが古い場合には、制御ソフトのバージョンアップの準備等が必要である。また、中古設備を選定する場合に、費用面のみならず、上記の情報に基づいて、中古機械を選定したいと購入希望者は、願うものであった。
【０００５】
また、従来のシステムは、検索した結果の中古設備等を一定の規則性を有して表示するものではなく、使用者は、検索の結果一覧等から、必要な情報（例えば、設備のバージョン情報）を一つ一つ閲覧する必要があった。つまり、使用者は、要求に合致するバージョン情報を有する中古設備を探す場合に、すべての検索情報を順に閲覧して、要求に合致するバージョン情報の中古設備を探さなければならず、手間がかかり、多くの時間を浪費するものであった。
【０００６】
【課題を解決するための手段】
以上の課題を解決するために、本発明は、情報処理装置とサーバー装置を具備する情報処理システムであって、情報処理装置は、物品が必要になる時期に関する情報である必要時期情報と、物品の移動先を示す情報である移動先情報と、物品を識別する情報である物品識別情報を有する購入希望情報の入力を受け付ける入力受付部と、購入希望情報に基づいてサーバー装置から物品に関する情報である物品情報を取得し、出力する物品情報出力部を具備する。サーバー装置は、１以上の物品の物品識別情報と引渡し可能な時期を示す情報である引渡し可能時期情報を有する販売元物品情報と、物品の存在場所に関する情報である存在場所情報を格納している販売元情報格納部と、情報処理装置からの購入希望情報に基づいて、販売元情報格納部から物品情報を取得し、情報処理装置に送信する物品情報検索部を具備する。かかる情報処理システムにより、物品の引き渡し時期、物品の存在場所についての情報が得られる。さらに、物品のバージョン情報が含まれる物品情報を表示することができる情報処理システムである。かかるバージョン情報により、制御機器のバージョン、制御ソフトのバージョン等の詳細な情報が確認できる。例えば、本情報処理システムにより、制御ソフトのバージョンが古い場合には、最新のバージョンにアップデートするか否かを、ユーザーは簡単に判断できる。また、本情報処理システムは、機械の仕様、メンテナンス状況（オーバーホール状況等）、付属部品の有無、不足部品の有無等の情報を提供する。よって、本情報処理システムは、ユーザーに機械の詳細な状況を提供できる。なお、ユーザーは、かかる情報から、購入前／購入後の機械調整（機能／動作チェック等）をスムーズに行える。また、不足部品の調達を事前に行える。
【０００７】
また、他の本発明は、さらに、移動先情報と存在場所情報に基づいて算出される距離をキーとして並び替えた（ソートした）物品情報を表示することができる情報処理システムである。本情報処理システムにより、距離の短い順に物品情報を表示でき、当該距離から、運送距離に比例して中古機械が損傷する等の危険度が高まることを予測できる。また、運送距離に比例して、運送費用（特に、大型機械の場合には、運送費用が高額になる）が高額になることを予測できる。さらに、販売元物品情報が有するバージョン情報と、購入希望情報が有するバージョン情報の比較結果をキーとして並び替えて１以上の物品情報を表示する情報処理システムである。本情報処理システムにより、例えば、購入希望者が要求する物品と合致する物品、または、バージョンが近い物品等の順序で物品を表示できる。すなわち、本情報処理システムは、物品の情報を比較し、物品の情報をソートして表示して、購入者が物品の情報を効率よく閲覧できることを提供する。
【０００８】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００９】
（実施の形態１）
図１は、本実施の形態における情報処理装置１０１とサーバー装置１０２を有する情報処理システムの構成を示すブロック図である。情報処理装置１０１は、入力受付部１０１１、物品情報出力部１０１２を有する。物品情報出力部１０１２は、検索手段１０１２１、ソート手段１０１２２、出力手段１０１２３を有する。サーバー装置１０２は、物品情報検索部１０２１、販売元情報格納部１０２２を有する。物品情報検索部１０２１は、物品情報取得手段１０２１１、物品情報送信手段１０２１２を有する。
【００１０】
入力受付部１０１１は、購入希望情報の入力を受け付ける。ここで購入希望情報とは、購入者が購入を希望する物品の情報に関するものであり、例えば、必要時期情報、移動先情報、物品識別情報、物品のバージョン情報、または物品の機能に関する情報等を有する。ここで物品とは、機器または機械、製造設備等をいい、例えば、混合機、充填機、包装機、溶接ロボット、組み立てロボット等である。また、この入力は、例えば、入力画面上のフィールドに文字列を入力する、または、各々の情報を選択するチェックボックス等をチェックして入力する等である。ここで必要時期情報とは、物品が必要になる時期に関する情報であり、例えば、購入希望者が、購入したい時期（例えば、平成１５年３月１４日）、物品を工場に設置したい時期（例えば、平成１５年３月２５日）、即時購入したい旨、または出物が出次第購入したい旨の情報等を有する。また、移動先情報とは、物品の移動先を示す情報であり、例えば、購入希望者が物品を設置する場所の住所（例えば、大阪府枚方市南楠葉１丁目４番地）、郵便番号（例えば、５３７−１１０５）等を有する。また、物品識別情報とは、物品を識別する情報であり、例えば、物品名、区分（分類）、機種、メーカー、型式、年式、製造番号、仕様、付属部品の有無、メンテナンス回数、修理箇所の情報等を有する。（なお、一般に、仕様とは、形式、性能、構造等をいう。）また、物品のバージョン情報とは、物品識別情報で識別される物品のバージョンに関する情報であり、例えば、制御機器のバージョン、制御ソフトのバージョンの情報等を有する。また、物品の機能に関する情報とは、例えば、○○が生産可能という旨の情報等である。入力受付部１０１１は、例えば、文字列の入力を受け付ける場合には、キーボ−ドまたはマウスおよびそのドライバーソフト等で実現できる。
【００１１】
検索手段１０１２１は、入力受付部１０１１が受け付けた購入希望情報を含む検索指示（以下、「検索指示」という）を、サーバー装置１０２に送信する。この検索指示は、購入希望情報に基づいて販売元情報格納部１０２２に格納された販売元物品情報、存在場所情報等を検索し、購入希望情報と合致する物品の情報、または購入希望情報を一部に有する物品の情報を取得する指示である。検索手段１０１２１は、通常、ソフトウェアから構成されるが、ハードウエア（専用回路）により実現しても良い。また、検索手段１０１２１は、検索指示をサーバー装置１０２に送信する場合に、例えば、ネットワークカードとそのドライバーソフト等を有して実現される。また、検索手段１０１２１は、ネットワークカードとそのドライバーソフト等を有していない場合には、情報処理装置１０１が有する送信部（図示しない）に、検索指示をサーバー装置１０２に送信する指示を行う。かかる場合、当該送信部は、例えば、ネットワークカードとそのドライバーソフト等を有して実現でき、送信部は、サーバー装置１０２に検索指示を送信する。
【００１２】
ソート手段１０１２２は、検索手段１０１２１が取得した物品情報を並び替える。この並び替えとは、例えば、移動先情報と存在場所情報に基づいて算出される距離（以下、「移動距離」という）をキーとして物品情報を並び替えることである。または、例えば、１以上の物品情報を表示する際に、販売元物品情報が有するバージョン情報と購入希望情報が有するバージョン情報の比較結果（以下、「バージョン比較結果」という）をキーとして物品情報を並び替えることである。ソート手段１０１２２は、通常、ソフトウェアから構成されるが、ハードウエア（専用回路）により実現しても良い。
【００１３】
出力手段１０１２３は、ソート手段１０１２２がソートした物品情報を出力する。または、出力手段１０１２３は、ソート手段１０１２２がソートしない場合には、検索手段１０１２１が検索した物品情報をソートせずに出力する。したがって、出力手段１０１２３は、物品情報の一覧表示（例えば、簡易情報のみを表示する）、または物品情報を詳細に表示（例えば、物品情報が有する全情報を表示する）する。また、出力手段１０１２３は、物品のバージョン情報を表示する、さらには、移動距離、またはバージョン比較結果をキーにソートした順序で表示する。この出力とは、ディスプレイ等への表示が好適である。出力手段１０１２３は、例えば、ディスプレイとそのドライバーソフト等により実現され得る。また、出力手段１０１２３は、ディスプレイ等の出力デバイスを含まなくても良い。かかる場合、出力手段１０１２３は、外付けのディスプレイに物品情報を出力指示する。
【００１４】
物品情報取得手段１０２１１は、情報処理装置１０１から送信された検索指示に応じて、販売元情報格納部１０２２から物品情報を取得する。物品情報取得手段１０２１１は、通常、ソフトウェアから構成されるが、ハードウエア（専用回路）により実現しても良い。また、物品情報取得手段１０２１１は、検索指示を受信する場合、例えば、ネットワークカードとそのドライバーソフト等を有して実現される。また、物品情報取得手段１０２１１が、検索指示を受信しない場合には、サーバー装置１０２が有する受信部（図示しない）が、検索指示を受信し、当該受信した検索指示に基づいて、物品情報取得手段１０２１１は、物品情報を取得する。かかる場合、受信部は、例えば、ネットワークカードとそのドライバーソフト等を有して実現される。
【００１５】
物品情報出力手段１０２１２は、物品情報取得手段１０２１１が取得した物品情報を情報処理装置１０１に、出力する。この出力とは、通常、インターネットを介した送信である。かかる場合、物品情報出力手段１０２１２は、例えば、ネットワークカードとそのドライバーソフト等を有して実現される。また、物品情報出力手段１０２１２は、物品情報を放送する場合は、放送手段を有する。また、物品情報出力手段１０２１２は、物品情報をＦＡＸで送信する場合は、ＦＡＸ手段を有する。また、物品情報出力手段１０２１２は、ディスプレイ等への表示をする場合、例えば、ディスプレイとそのドライバーソフトにより実現され得る。
【００１６】
販売元情報格納部１０２２は、販売元物品情報と存在場所情報を格納している。この販売元物品情報とは、販売元の物品に関する情報であり、例えば、１以上の物品の物品識別情報、物品のバージョン情報、引渡し可能時期情報等を有する。ここで引渡し可能時期情報とは、引渡し可能な時期を示す情報であり、例えば、引き渡す日時（例えば、平成１５年３月２０日午後１時、または、いつでも引き渡し可能）、引き渡す期間（例えば、平成１５年３月１５日から平成１５年３月３０日まで）等を有する。また、存在場所情報とは、物品の存在場所に関する情報であり、例えば、物品の存在場所の住所（例えば、大阪府枚方市北楠葉３８番）、物品の存在場所の郵便番号（５３７−１１０２）等を有する。なお、販売元物品情報は、予め格納されているものでも良いし、または、１以上の外部装置等から取得されるものでも良い。販売元情報格納部１０２２は、不揮発性の記録媒体が好適であるが、揮発性の記録媒体でも良い。販売元情報格納部１０２２は、具体的には、ＤＶＤ（Ｄｉｇｉｔａｌ  Ｖｅｒｓａｔｉｌｅ  Ｄｉｓｃ）などが好適である。
【００１７】
以下、本実施の形態における情報処理装置１０１の動作について図２のフローチャートを用いて説明する。
【００１８】
（ステップＳ２０１）入力受付部１０１１は、購入希望情報を受け付けたか否かを判断する。入力受付部１０１１が購入希望情報を受け付けた場合、ステップＳ２０２行く。入力を受け付けない場合はステップＳ２０１に戻る。ここで購入希望情報の受け付けとは、ユーザーが入力画面に必要な情報（氏名、購入希望情報、移動距離等でソートする等の情報）を入力し、その後、例えば、検索開始ボタン等をクリックした信号を受け付けることである。
【００１９】
（ステップＳ２０２）検索手段１０１２１は、ステップＳ２０１で入力を受け付けた購入希望情報と検索指示をサーバー装置１０２に送信する。
【００２０】
（ステップＳ２０３）検索手段１０１２１は、ステップＳ３０３で出力された物品情報を取得（受信）したか否かを判断する。検索手段１０１２１は、物品情報を取得した場合、ステップＳ２０４行く。検索手段１０１２１は、物品情報を取得しない場合、ステップＳ２０３に戻る。
【００２１】
（ステップＳ２０４）ソート手段１０１２２は、移動距離に基づいて物品情報をソートするか否かを判断する。ソート手段１０１２２は、ステップＳ２０１で、移動距離に基づいて物品情報をソートする旨の情報を受け付けた場合に、ソートすると判断する。また、ソート手段１０１２２は、ステップＳ２０１で、移動距離に基づいて物品情報をソートする旨の情報を受け付けない場合に、ソートしないと判断する。ソート手段１０１２２がソートする場合はステップＳ２０５に行く。ソート手段１０１２２がソートしない場合には、ステップＳ２０９に行く。
【００２２】
（ステップＳ２０５）ソート手段１０１２２は、ステップＳ２０３で取得した物品情報を移動距離に基づいてソートする。
【００２３】
（ステップＳ２０６）ソート手段１０１２２は、バージョン比較結果に基づいて物品情報をソートするか否かを判断する。ソート手段１０１２２は、ステップＳ２０１で、バージョン比較結果に基づいて物品情報をソートする旨の情報を受け付けた場合に、ソートすると判断する。また、ソート手段１０１２２は、ステップＳ２０１で、バージョン比較結果に基づいて物品情報をソートする旨の情報を受け付けない場合に、ソートしないと判断する。ソート手段１０１２２がソートする場合はステップＳ２０７に行く。ソート手段１０１２２がソートしない場合には、ステップＳ２０８に行く。
【００２４】
（ステップＳ２０７）ソート手段１０１２２は、ステップＳ２０３で取得した物品情報をバージョン比較結果に基づいてソートする。
【００２５】
（ステップＳ２０８）出力手段１０１２３は、物品情報を出力する。ステップＳ２０１に戻る。
【００２６】
（ステップＳ２０９）ソート手段１０１２２は、バージョン比較結果に基づいて物品情報をソートするか否かを判断する。ソート手段１０１２２がバージョン比較結果に基づいて物品情報をソートする場合はステップＳ２１０に行く。ソート手段１０１２２がバージョン比較結果に基づいて物品情報をソートしない場合には、ステップＳ２０８に行く。
【００２７】
（ステップＳ２１０）ソート手段１０１２２は、ステップＳ２０３で取得した物品情報をバージョン比較結果に基づいてソートする。ステップＳ２０８に行く。
【００２８】
なお、他の物品を検索したい場合には、新たに購入希望情報を入力し、その購入希望情報に応じた物品情報を出力できる。また、情報処理装置１０１の動作は、サーバー装置１０２へのインターネット接続を切断する等により終了する。
【００２９】
以下、本実施の形態におけるサーバー装置１０２の動作について図３のフローチャートを用いて説明する。
【００３０】
（ステップＳ３０１）物品情報取得手段１０２１１は、検索指示（購入希望情報を有する）を受信したか否かを判断する。物品情報取得手段１０２１１が検索指示を受信した場合、ステップＳ３０２行く。受信しない場合はステップＳ３０１に戻る。
【００３１】
（ステップＳ３０２）物品情報取得手段１０２１１は、ステップＳ３０１で受信した購入希望情報を検索キーとして、販売元物品情報と存在場所情報を検索して、購入希望情報の全部または一部を有する物品情報を取得する。なお、販売元物品情報に購入希望情報が含まれていない場合に、物品情報取得手段１０２１１は、他のデータベースを有するサーバー装置にアクセスして、購入希望情報の全部または一部を有する物品情報を取得するものでも良い。
【００３２】
（ステップＳ３０３）物品情報出力手段１０２１２は、ステップＳ２０３で取得した物品情報を情報処理装置１０１に出力（インターネット経由で送信）する。ステップＳ３０１に戻る。
【００３３】
また、サーバー装置１０２の動作は、情報処理装置１０１がサーバー装置１０２へのインターネット接続（アクセス）を切断する等により終了する。
【００３４】
以下、本実施の形態における情報処理装置１０１とサーバー装置１０２の具体的な動作について説明する。図４は、情報処理装置１０１とサーバー装置１０２の概念図を示す。図４において、情報処理装置１０１は、ディスプレイ４０１等を有する。サーバー装置１０２は、販売元情報格納部１０２２等を有するものである。情報処理装置１０１とサーバー装置１０２は、インターネットを介して接続されている。
【００３５】
今、ユーザーが、サーバー装置１０２が有する「中古設備オンラインショップ」のホームページにアクセスしている。図５は、「中古設備オンラインショップ」のホームページの表示例を示す図である。図５において、「中古設備オンラインショップ」のホームページは、購入希望情報を入力するフィールドと検索を開始する「検索」ボタンで構成されている。購入希望情報は、物品識別情報（区分、機種、メーカー、型式、年式、仕様）、バージョン情報（制御機器のバージョン、制御ソフトのバージョン）、必要時期情報（必要時期）、移動先情報（移動先の住所、移動先の郵便番号）、購入者の氏名、およびソート条件等を有する。なお、初期の入力画面から、必要時期には現在の年月（２００３年３月）が入力されている。かかる場合、情報処理装置１０１が有するカレンダー機能により、情報処理装置１０１が現在の年月を自動的に入力する。
【００３６】
次に、ユーザーは、物品（機種）がＶ型混合機である場合の購入希望情報を入力する。図６は、購入希望情報の入力例を示す図である。図６において、ユーザーは、区分の欄に「混合機」を、機種の欄に「Ｖ型混合機」を、メーカーの欄に「Ｔ社」を、型式の欄に「ＴＶ−２００型」を、仕様の欄に「ＳＵＳ３０６、１０から３０ｒｐｍ、２００Ｌ」を入力している。また、制御機器バージョンの欄には、「１９９０年バージョン」制御ソフトバージョンの欄には、「１９９０年バージョン」を入力している。なお、年式の欄は空欄である（未設定であり、つまり年式は問わず検索することを意味する）。また、ユーザーは、必要時期の欄に「２００３年４月」を、移動先の住所の欄に「大阪府  枚方市  南楠葉  １丁目４番地」を入力している。なお、移動先の住所の欄に入力された住所に対応して、移動先の郵便番号の欄に「５７３−１１０５」の郵便番号が表示される。なお、移動先の住所を入力せずに、移動先の郵便番号を入力する場合には、移動先の郵便番号の欄に入力された郵便番号に対応した住所が、移動先の住所の欄に表示される。さらに、ユーザーは、ソート条件の移動距離またはバージョン比較結果のチェックボックスの両方をチェックしている（つまり、移動距離およびバージョン比較結果をそれぞれキーとして、物品情報をソートすることを意味する）。また、ユーザーは、購入者の氏名の欄に「枚方太郎」を入力する。
【００３７】
次に、ユーザーは、検索ボタンを押下（クリック）する。かかる検索ボタンのクリックにより、入力受付部１０１１が、購入希望情報を受け付ける。なお、すべての情報を入力する必要はなく、最低限の情報（例えば、区分のみ）を入力して、検索ボタンを押下（クリック）することでも検索は開始できる。例えば、区分に「混合機」のみが入力されて、検索ボタンをクリックすると、販売元情報格納部３０２１に格納された全情報から、区分の「混合機」に該当するすべての物品情報（例えば、Ｖ型混合機、Ｗ型混合機、コンテナ型混合機等）が検索され、一覧表示されることになる。
【００３８】
次に、検索手段１０１２１は、入力受付部１０１１が受け付けた購入希望情報（例えば、区分、機種、メーカー、型式、仕様、制御機器バージョン、制御ソフトバージョン、移動先の郵便番号等の情報）を含む検索指示を、サーバー装置３０２に送信する。図７は、送信する購入希望情報の例を示す図である。図７において、購入希望情報は、例えば、クライアント「情報処理装置３０１」、区分「混合機」、機種「Ｖ型混合機」、メーカー「Ｔ社」、型式「ＴＶ−２００型」、仕様「ＳＵＳ３０６、１０から３０ｒｐｍ、２００Ｌ」、制御機器バージョン情報「１９９０年バージョン」および制御ソフトバージョン情報「１９９０年バージョン」等を有する。なお、検索指示は、ＳＱＬによる指示でも良い。
【００３９】
次に、物品情報取得手段１０２１１は、検索手段１０１２１が送信した検索指示を受信する。かかる検索指示に応じて、物品情報取得手段１０２１１は、販売元情報格納部１０２２に格納された、販売元物品情報と存在場所情報を、購入希望情報に基づいて検索する。ここで販売元物品情報は、例えば、物品識別情報、物品のバージョン情報および引渡し可能時期情報を有する。図８は、販売元物品情報の例を示す図である。図８において、販売元物品情報は、管理番号、区分、機種、メーカー、型式、年式、仕様、制御機器バージョン、制御ソフトバージョンおよび引き渡し可能時期等を有する。例えば、管理番号が「ＫＶ００１」の場合において、区分は「混合機」を、機種は「Ｖ型混合機」を、メーカーは、「Ｔ社」を、型式は「ＴＶ−２００型」を、年式は「１９９２」を、仕様は「ＳＵＳ３０６、１０から３０ｒｐｍ、２００Ｌ、Ｏ社製制御機器」を、制御機器バージョンは「１９９２年バージョン」を、制御ソフトバージョンは「１９９２年バージョン」を、引き渡し可能時期は「２００２／１２」等であることを、販売元物品情報は示す。図９は、存在場所情報の例を示す図である。図９において、例えば、存在場所情報は、管理番号と存在場所の住所およびその郵便番号等を有する。例えば、管理番号「ＫＶ００１」の物品は、「大阪府枚方市北楠葉町３８番地」の住所で示される場所に存在している。
【００４０】
以下に、検索の手順について説明する。
【００４１】
まず、物品情報取得手段１０２１１は、購入希望情報の区分「混合機」と機種「Ｖ型混合機」とメーカー「Ｔ社」と型式「ＴＶ−２００型」および仕様「ＳＵＳ３０６、１０から３０ｒｐｍ、２００Ｌ」をキーとして、販売元物品情報（図７、図８参照）をＡＮＤ検索する。合致する物品情報があれば、物品情報取得手段１０２１１は、その合致する物品情報（管理番号、物品識別情報、引き渡し可能時期情報等を含む）を取得する（合致する物品情報が１以上ある場合はすべての情報を取得する）。なお、ここで管理番号は、物品を管理するためのユニークな番号である。次に、物品情報取得手段１０２１１は、取得した管理番号をキーに、存在場所情報（図９参照）を検索する。合致する存在場所情報があれば、その合致する存在場所情報を取得する。なお、物品情報取得手段１０２１１は、購入希望情報の区分、機種、メーカー、型式および仕様をキーとして、販売元物品情報をＡＮＤ検索するものだったが、その他の情報の組み合わせで検索しても良い。例えば、物品情報取得手段１０２１１は、区分、仕様およびバージョン情報をキーに、検索しても良い。また、区分、機種および引渡し可能時期をキーにして検索しても良い。なお、予め設定された基本ルールに基づいて、検索するものでも良い。例えば、基本ルールは、第一に、購入者情報の全情報をキーにＡＮＤまたはＯＲ検索する。第二に、区分、機種、仕様をキーにＡＮＤまたはＯＲ検索する等であっても良く、その他のルールに基づいて検索するものでも良い。
【００４２】
図１０は、物品情報取得手段１０２１１が、区分と機種とメーカーおよび型式のみをキーにしてＡＮＤ検索した結果の物品情報の例を示す図である。図１０において、物品情報は、例えば、管理番号、区分、機種、メーカー、型式、年式、仕様、制御機器バージョン、制御ソフトバージョン、引渡し可能時期、および存在場所の郵便番号等の情報を有する。
【００４３】
次に、物品情報出力手段１０２１２は、物品情報取得手段１０２１１が取得した物品情報を、情報処理装置３０１に送信する。そして、検索手段１０１２１は、送信された物品情報を取得する。
【００４４】
次に、ソート手段１０１２２は、入力受付部が受け付けたソート条件の移動距離およびバージョン比較結果に応じて、検索手段１０１２１が取得した物品情報を、ソートする。
【００４５】
まず、移動距離で物品情報をソートする場合において、ソート手段１０１２２は、移動先情報の住所と物品情報の存在場所の住所に応じて、購入者が中古設備（混合機）を設置する場所から中古設備（混合機）の存在場所までの距離を算出する。具体的には、情報処理装置３０１が「中古設備オンラインショップ」サイトにアクセスした際に、位置情報もダウンロードし、情報処理装置３０１に内蔵のメモリに距離情報を保持する。この位置情報には、住所に対応する緯度経度の情報が含まれる。図１１は、距離情報の例を示す図である。図１１において、例えば、位置情報は、住所が「大阪府枚方市南楠葉１丁目」に対応して、緯度経度が「（北緯３４．５１．３３．６６、東経１３５．４１．０．８６９）」であることを示す。
【００４６】
そして、ソート手段１０１２２は、移動先住所および存在場所の住所を各々検索キーとして、位置情報を検索し、各々の緯度経度を取得する。
【００４７】
次に、ソート手段１０１２２は、移動先住所の緯度経度（北緯３４．５１．３３．６６、東経１３５．４１．０．８６９）と存在場所の住所の緯度経度（例えば、管理番号ＫＶ００１の緯度経度は（北緯３４．５１．３３．６６、東経１３５．４１．０．８６９））から、移動先住所から存在場所の住所までの距離（直線距離）を算出する。例えば、移動先住所（大阪府枚方市南楠葉１丁目）から存在場所の住所（大阪府枚方市北楠葉町３８番）までの距離は、３ｋｍである。また、移動先住所（大阪府枚方市南楠葉１丁目）から存在場所の住所（兵庫県西宮市高松町４丁目８番地）までの距離は、４０ｋｍである。なお、かかる距離は、車による移動距離であっても良い。かかる場合、情報処理装置３０１は、道路地図情報（道路地図に関する情報）をメモリに保持し、この道路地図情報に基づいて移動先住所の地点から存在場所の住所の地点までの最短ルートの距離を算出する。なお、最短ルートの距離を算出するアルゴリズムは問わない。
【００４８】
次に、ソート手段１０１２２は、すべての距離をキーに、物品情報を距離の短い順にソートする。かかるソートした結果の物品情報の例を図１２に示す。図１２において、物品情報は、距離の短い順に、管理番号「ＫＶ００１」、「ＫＶ００５」、「ＫＶ０２４」、「ＫＶ０１１」、「ＫＶ０２１」の順にソートされたことを示す。なお、管理番号「ＫＶ００１」の距離と「ＫＶ００５」の距離は、同じである。かかる同等の場合、ソート手段１０１２２は、管理番号に応じてソートする。なお、ソートのアルゴリズムは、問わない。以下同様である。
【００４９】
次に、ソート手段１０１２２は、バージョン比較結果に応じて、物品情報をソートする。バージョン比較結果とは、購入希望情報のバージョン情報と物品情報のバージョン情報を比較した結果である。具体的には、制御ソフトバージョン「１９９０年バージョン」を比較した場合の比較結果は、例えば、購入希望情報の制御ソフトバージョンと管理番号「○○○○」の制御ソフトバージョンは合致する。または、購入希望情報の制御ソフトバージョンと管理番号「□□□□」の制御ソフトバージョンは新しい、または古いバージョンである等である。
【００５０】
ソートは、基本ルールに基づいて行う。ここで基本ルールとは、以下である。まず、合致するバージョン情報を有する物品情報を昇順にソートする。次に、新しいバージョン情報を有する物品情報を昇順にソートする。次に、古いバージョン情報を有する物品情報を昇順にソートする。例えば、制御ソフトバージョン「１９９０年」の場合、「１９９０年」を有する物品情報をソート順位「１位」にする。次に、「１９９０年」を有する物品情報が他に存在しなければ、新しいバージョン、例えば、１９９１年等を有す物品情報をソート順位「２位」にする。次に、新しいバージョンを有する物品情報が他に存在しなければ、「１９９０年」よりも古いバージョン、例えば、１９８９年等を有する物品情報をソート順位「３位」にする。なお、ここに示した基本ルール以外のその他のルールに基づいてソートしても良いことはいうまでもない。
【００５１】
基本ルールに基づいて、ソート手段１０１２２は、制御ソフトバージョン「１９９０年バージョン」に合致する管理番号「ＫＶ００２」の物品情報を、ソート順位「１位」とする。次に、ソート手段１０１２２は、「１９９０年」より新しいバージョン情報（例えば、１９９２年、１９９８年バージョン）を昇順にソートする。よって、管理番号「ＫＶ００１」の物品情報は、「２位」にソートされる。また、管理番号「ＫＶ０２４」、「ＫＶ０２１」、「ＫＶ０１１」の各々の物品情報は、各々「３位」、「４位」、「５位」にソートされる。
【００５２】
なお、ソート手段１０１２２は、バージョン情報または距離をキーに、情報をソートするものだが、ソート手段１０１２２は、物品識別情報（例えば、仕様、年式等）をキーにソートするものでも良い。
【００５３】
次に、出力手段１０１２３は、ソート手段１０１２２が、ソートした物品情報をディスプレイ４０１に出力する。図１３は、ディスプレイ４０１に出力された物品情報の表示例を示す図である。図１３において、出力手段１０１２３は、「中古設備オンラインショップ」のサイト上に、購入希望情報と検索結果を表示する。検索結果は、距離およびバージョン比較結果をキーにソートした物品情報、およびバージョン比較結果をキーにソートした場合の順位結果を表示する。管理番号「ＫＶ００１」と「ＫＶ００５」の物品情報は、同じ距離であるが、「ＫＶ００５」の方が最上行に表示される。すなわち、距離でソートした結果を表示することが第一に優先され、距離が同等になる情報が複数含まれる場合にバージョン情報をキーにソートした結果を反映する表示方法である。なお、かかる表示方法は、他の方法でも良い。
【００５４】
また、出力手段１０１２３は、バージョン比較結果で表示するボタン１３０１と戻るボタン１３０２を表示する。ユーザーが、バージョン比較結果で表示するボタン１３０１をクリックすると、出力手段１０１２３は、検索結果の物品情報を、バージョン比較結果をキーにソートした順序で表示する。図１４は、バージョン比較結果をキーにソートした物品情報の表示例を示す図である。検索結果は、バージョン比較結果をキーにソートした物品情報および距離を表示する。また、出力手段１０１２３は、距離で表示するボタン１４０１を表示する。ユーザーが、距離で表示するボタン１４０１をクリックすると、出力手段１０１２３は、検索結果の物品情報を、距離でソートした順序で表示する。なお、出力手段１０１２３は、初めに、距離でソートした物品情報を表示し、バージョン比較結果で表示するボタン１３０１をクリックして、バージョン比較結果をキーにソートした物品情報を表示するものだが、出力手段１０１２３は、初めに、バージョン比較結果をキーにソートした物品情報を表示し、距離で表示するボタン１３０１をクリックして、距離でソートした物品情報を表示するものでも良い。なお、ユーザーが、戻るボタン１３０２をクリックすると、図５に示す「中古設備オンラインショップ」サイトの購入希望情報の入力画面に戻る。
【００５５】
次に、物品（機種）が、組み立てロボットの場合について以下に説明する。
【００５６】
今、購入希望情報は、区分が「ロボット」、機種が「組み立てロボット」、仕様が「制御軸数６軸、最大可搬質量５ｋｇ、立体センサ、力センサ、ネットワーク通信機能」、また制御機器バージョンと制御ソフトバージョンが各々「１９９０年バージョン」である。また、メーカー、型式、年式の欄は空欄である（未設定であり、つまりメーカー、型式、年式は問わず検索することを意味する）。また、必要時期が「２００３年４月」、移動先の住所が「大阪府  枚方市  南楠葉１丁目４番地」である。また、移動距離とバージョン比較結果の各々のチェックボックスがチェックされている。情報処理装置１０１は、購入希望情報を有する検索指示を送信し、当該検索指示に応じて、サーバー装置１０２が販売元物品情報、存在場所情報等を検索し、該当する物品情報を送信する。当該送信された物品情報を、情報処理装置１０１は、ソート条件に応じてソートし、当該ソートされた物品情報を表示する。なお、かかる情報処理装置１０１とサーバー装置１０２の動作は、上記で説明した動作と同様である。なお、本実施の形態において、購入希望情報は、物品の機能に関する情報を有するものでも良い。かかる場合、サーバー装置１０２は、物品の機能に関する情報をキーに販売元物品情報等を検索する。例えば、物品の機能に関する情報が、「電子部品Ａを所定の基盤に実装可能」である場合、サーバー装置１０２は、かかる「電子部品Ａを所定の基盤に実装可能」に合致するまたは一部に有する販売元物品情報の物品情報を検索する。
【００５７】
図１５は、ソート後の物品情報の表示例を示す図である。図１５において、検索結果は、管理番号、区分、機種、メーカー、型式、年代、仕様、制御機器バージョン、制御ソフトバージョン、引渡し可能時期、存在場所の住所、バージョン比較結果をキーにソートした場合の順位等を各々示す。
【００５８】
以上、物品が、「Ｖ型混合機」および「組み立てロボット」の場合について説明したが、他の中古物品についても同様に検索し、ソートして物品情報を出力できるものである。また、中古の物品に限らず、他の物品（新品の商品）についても同様に検索し、ソートして物品情報を出力できることは言うまでもない。
【００５９】
なお、本実施の形態において、入力受付部１０１１が、予めソート条件（距離、またはバージョン比較結果）を受け付けて、検索手段１０１２１が取得した物品情報を、ソート手段１０１２２がソート条件に応じてソートするものだったが、予めソート条件（距離、またはバージョン比較結果）を入力せずに、検索手段１０１２１が取得した物品情報を、出力手段１０１２３がそのまま出力するものでも良い。かかる場合、出力手段１０１２３は、「中古設備オンラインショップ」サイト上に、購入希望情報、検索結果、距離で表示するボタンおよびバージョン比較結果で表示するボタン等を表示する。そして、ユーザーが、距離で表示するボタンをクリックすると、ソート手段１０１２２が、本実施の形態と同様の距離をキーに物品情報をソートし、かかるソートした物品情報を出力手段１０１２３が出力する。あるいは、バージョン比較結果で表示するボタンをクリックすると、ソート手段１０１２２が、本実施の形態と同様のバージョン比較結果をキーに物品情報をソートし、かかるソートした物品情報を出力手段１０１２３が出力する。
【００６０】
また、本実施の形態において、情報処理装置１０１が、ソート手段１０１２２を有して、物品情報をソートするものだったが、サーバー装置１０２が、ソート手段を有して、物品情報取得手段１０２１１が取得した物品情報をソートするものでも良い。かかる場合、情報処理装置１０１は、ソート条件を送信する。また、サーバー装置１０２は、ソート条件を受信し、当該ソート条件に応じて物品情報をソートする。そして、物品情報出力手段１０２１２は、ソートした物品情報の順に、情報処理装置１０１に送信する。そして、出力手段１０１２３は、受信した物品情報の順にディスプレイ４０１に出力する。
【００６１】
以上、本実施の形態によれば、本情報処理システムは、引渡し可能時期を提供する。よって、ユーザーは、生産計画に狂いが生じないように、例えば、引渡し時期が早い物品を選択できる。また、バージョン情報を提供する。よって、制御ソフトのバージョンが古い場合には、最新のバージョンにアップデートするか否かを、ユーザーが簡単に判断できる。
【００６２】
また、本情報処理システムは、機械等の仕様、メンテナンス状況（オーバーホール状況等）、付属部品の有無、不足部品の有無等の情報を提供する。よって、本情報処理システムは、ユーザーに機械の詳細な状況を提供できる。なお、ユーザーは、かかる情報から、購入前／購入後の機械調整（機能／動作チェック等）をスムーズに行える。また、不足部品の調達を事前に行える。例えば、仕様が「ＳＵＳ３０６（一部）、１０から２０ｒｐｍ、２００Ｌ、オーバーホール済み、Ｏ社製制御機器（動作不安定）」である場合、混合機の一部をＳＵＳ３０６に交換する必要があること、また、Ｏ社製制御機器（動作不安定）を調整する若しくは新規購入する必要があること等を、ユーザーは簡単に判断できる。また、回転数が１０から２０ｒｐｍであることから、購入希望条件の機能（性能）を有さないことを、ユーザーは簡単にチェックできる。
【００６３】
また、一般に、運送距離が長い場合、運送中に物品が故障する等の危険がある。また、特に、大型機械等の場合に、運送費用が高額になる等の諸費用の問題がある。例えば、管理番号「ＫＶ０２１」の物品は、最も距離が長いので、他の物品よりも上記の危険度が高く、また諸費用も高い。すなわち、物品を選定する場合において、運送距離は重要な判断材料である。よって、本情報処理システムが、距離をキーとしてソートされた物品情報を表示することを提供することにより、かかる判断材料を、ユーザーは簡単に得られる。
【００６４】
さらに、本情報処理システムは、購入者情報と販売元物品情報のバージョン情報を比較した比較結果をキーにソートして、物品情報を表示できる。例えば、検索結果の１行目に購入希望者が要求する購入希望情報の物品と合致する物品を表示し、その２行目以降に購入希望情報（バージョン情報）より新しい／古いバージョンの物品等を昇順に表示する。かかる表示により、ユーザーは、購入希望条件に合致する物品、または、購入希望条件より新しい／古いバージョンの物品を、検索結果（ソート後の検索結果）の１行目から順に物品情報を確認できる。例えば、図１４において、検索結果の欄の１行目に表示されている管理番号「ＫＶ００５」の物品は、購入希望情報に合致している。次に表示されている管理番号「ＫＶ００１」の物品は、購入希望情報（バージョン情報）より新しいバージョンの物品である。次に新しい物品は管理番号が「ＫＶ０２４」の物品である（なお、ソート順位は上記のアルゴリズムで決めている。その他のアルゴリズムでは、ソート順位は異なる）。よって、ユーザーは、１行目から順に物品情報を確認し、最適の物品が見つかれば、すべての物品情報を確認しなくてもよく、物品情報を確認する労力を軽減でき、かつ、確認する時間を短縮できる。
【００６５】
また、本情報処理システムは、物品を選択する判断材料となる情報、例えば、物品のバージョン情報、引渡し可能時期情報、存在場所情報等を提供する。また、本情報処理システムは、ソートした結果の物品情報を表示させて提供する。よって、ユーザーは、かかる提供に基づいて、どの物品を購入すべきか、簡単に判断できる。
【００６６】
さらに、本実施の形態において説明した情報処理装置の動作について、ソフトウェアで実現し、当該ソフトウェアを例えば、サーバー上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における情報処理装置の動作をソフトウェアで実現した場合のプログラムは、以下のようになる。コンピュータに、物品が必要になる時期に関する情報である必要時期情報と、物品の移動先を示す情報である移動先情報と、物品を識別する情報である物品識別情報を有する購入希望情報の入力を受け付ける入力受付ステップと、購入希望情報に基づいてサーバー装置から物品に関する情報である物品情報を取得する取得ステップと、物品情報を出力する物品情報出力ステップを実行させるためのプログラムである。
【００６７】
また、コンピュータに、物品が必要になる時期に関する情報である必要時期情報と、物品の移動先を示す情報である移動先情報と、物品を識別する情報である物品識別情報を有する購入希望情報の入力を受け付ける入力受付ステップと、購入希望情報に基づいてサーバー装置から物品に関する情報である物品情報を取得する取得ステップと、移動先情報と存在場所情報に基づいて算出される距離をキーとして物品情報を並び替える物品情報並び替えステップと、並び替えられた物品情報を表示する物品情報出力ステップを実行させるためのプログラムである。
【００６８】
また、コンピュータに、物品が必要になる時期に関する情報である必要時期情報と、物品の移動先を示す情報である移動先情報と、物品を識別する情報である物品識別情報を有する購入希望情報の入力を受け付ける入力受付ステップと、購入希望情報に基づいてサーバー装置から物品に関する情報である物品情報を取得する取得ステップと、販売元物品情報が有するバージョン情報と、購入希望情報が有するバージョン情報の比較結果をキーとして物品情報を並び替える並び替えステップと、並び替えられた１以上の物品情報を表示する物品情報出力ステップを実行させるためのプログラムである。
【００６９】
（実施の形態２）
図１６は、本実施の形態における情報処理装置１６０１と１以上のサーバー装置１０２、１６０２および１６０３を有する情報処理システムの構成を示すブロック図である。情報処理装置１６０１は、入力受付部１０１１、物品情報出力部１０１２を有する。物品情報出力部１０１２は、検索手段１６０１１、ソート手段１０１２２、出力手段１０１２３を有する。サーバー装置１０２、１６０２および１６０３は、物品情報検索部１０２１、販売元情報格納部１０２２を有する。物品情報検索部１０２１は、物品情報取得手段１０２１１、物品情報送信手段１０２１２を有する。
【００７０】
検索手段１６０１１は、入力受付部１０１１が受け付けた購入希望情報を含む検索指示を、１以上のサーバー装置１０２、１６０２および１６０３に送信する。なお、検索指示は、実施の形態１と同様の動作をする。検索手段１６０１１は、通常、ソフトウェアから構成されるが、ハードウエア（専用回路）により実現しても良い。また、検索手段１６０１１は、検索指示をサーバー装置１０２、１６０２および１６０３に送信する場合に、例えば、ネットワークカードとそのドライバーソフト等を有して実現される。また、検索手段１６０１１は、ネットワークカードとそのドライバーソフト等を有していない場合には、情報処理装置１６０１が有する送信部（図示しない）に検索指示を送信する。かかる場合、当該送信部は、例えば、ネットワークカードとそのドライバーソフト等を有して実現でき、送信部は、サーバー装置１６０２に検索指示を送信する。
【００７１】
以下、本実施の形態における情報処理装置１６０１とサーバー装置１０２、１６０２および１６０３の具体的な動作について説明する。情報処理装置１６０１とサーバー装置１０２、１６０２および１６０３は、インターネットを介して接続されている。
【００７２】
今、ユーザーが、サーバー装置１０２が有する「中古設備オンラインショップ」のホームページにアクセスしている。ユーザーは、実施の形態１と同様に購入希望情報を入力し、検索ボタンをクリックする。この検索ボタンのクリックにより入力受付部１０１１が購入希望情報を受け付ける。
【００７３】
次に、検索手段１６０１１は、入力受付部１０１１が受け付けた購入希望情報（例えば、区分、機種、メーカー、型式、仕様、移動先の郵便番号等の情報）と検索指示を、サーバー装置１０２、１６０２および１６０３に送信する。なお、物品情報取得手段１０２１１が、物品情報を取得する方法は、実施の形態１と同様である。また、物品情報出力手段１０２１２が、物品情報を送信する方法も実施の形態１と同様である。
【００７４】
次に、検索手段１６０１１は、サーバー装置１０２、１６０２および１６０３が各々送信した物品情報を取得し、メモリに保持する。
【００７５】
次に、ソート手段１０１２２は、メモリに保持された物品情報を実施の形態１と同様にソートする。そして、出力手段１０１２３が、実施の形態１と同様にソートした物品情報をディスプレイに出力する。
【００７６】
以上、本実施の形態によれば、複数のサーバー装置が有する情報、例えば、物品の引き渡し時期、物品の存在場所等の情報を検索できる。つまり、実施の形態１においては、１台のサーバー装置が有する情報を検索するものであったが、本実施の形態においては、複数のサーバー装置が有する情報を検索でき、購入希望情報と合致する物品の情報、または購入希望情報を一部に有する物品の情報を取得できる。なお、本実施の形態のその他の効果は、実施の形態１と同様の効果を有する。
【００７７】
なお、情報処理装置１６０１は、２以上のサーバー装置から物品情報を取得できるものである。かかる場合、情報処理装置１６０１は、予め決められた２以上のサーバー装置のみを検索し物品情報を取得するものでも良く、また、どのサーバー装置から物品情報を取得するかは、問わないものでも良い。
【００７８】
【発明の効果】
本発明によれば、物品のバージョン情報や引渡し可能時期の情報等を表示でき、また、物品の存在場所から移動先までの距離、または、バージョン情報を比較した結果で物品情報をソートして出力できる。よってユーザーは、物品のバージョン情報、引渡し可能時期の情報等から、または、ソートした物品情報から、どの物品を購入すべきか、簡単に判断できる。
【図面の簡単な説明】
【図１】実施の形態１における情報処理装置とサーバー装置の構成を示すブロック図
【図２】実施の形態１における情報処理装置の動作を説明するフローチャート
【図３】実施の形態１におけるサーバー装置の動作を説明するフローチャート
【図４】実施の形態１における情報処理システムの概念図
【図５】実施の形態１における「中古設備オンラインショップ」のホームページの表示例を示す図
【図６】実施の形態１における購入希望情報の入力表示例を示す図
【図７】実施の形態１における送信する購入希望情報の例を示す図
【図８】実施の形態１における販売元物品情報の例を示す図
【図９】実施の形態１における存在場所情報の例を示す図
【図１０】実施の形態１におけるソート結果の物品情報の例を示す図
【図１１】実施の形態１における距離情報の例を示す図
【図１２】実施の形態１におけるソートした結果の物品情報の例を示す図
【図１３】実施の形態１における出力された物品情報の表示例を示す図
【図１４】実施の形態１における出力された物品情報の表示例を示す図
【図１５】実施の形態１における出力された物品情報の表示例を示す図
【図１６】実施の形態２における情報処理システムの構成を示すブロック図
【符号の説明】
１０１、１６０１  情報処理装置
１０２、１６０２、１６０３  サーバー装置
１０１１  入力受付部
１０１２  物品情報出力部
１０１２１、１６０１１  検索手段
１０１２２  ソート手段
１０１２３  出力手段
１０２１  物品情報検索部
１０２１１  物品情報取得手段
１０２１２  物品情報出力手段
１０２２、  販売元情報格納部
４０１  ディスプレイ
１３０１  バージョン比較結果で表示するボタン
１３０２  戻るボタン
１４０１  距離で表示するボタン
【図１】
2004326229.tif 000003
【図２】
2004326229.tif 000004
【図３】
2004326229.tif 000005
【図４】
2004326229.tif 000006
【図５】
2004326229.tif 000007
【図６】
2004326229.tif 000008
【図７】
2004326229.tif 000009
【図８】
2004326229.tif 000010
【図９】
2004326229.tif 000011
【図１０】
2004326229.tif 000012
【図１１】
2004326229.tif 000013
【図１２】
2004326229.tif 000014
【図１３】
2004326229.tif 000015
【図１４】
2004326229.tif 000016
【図１５】
2004326229.tif 000017
【図１６】
2004326229.tif 000018